(57)【要約】      （修正有）【課題】天然素材の模様や形状がはっきりと見え、保護する効果を有する柔軟性基材と天然素材の結合構造を提供する。【解決手段】基材１０と接着層２０と天然素材３０と塗料層４０とを含む。基材１０は予め面積を有し、かつ可撓性のある軟性素材とし、接着層２０は該基材の一面上の所定部位に設置され、該所定部位に水性接着剤を塗布してから乾燥させることで形成され、粘着性と透明性を有する薄膜層であり、天然素材３０は天然の動植物とし、接着層２０上に貼り付けられる。塗料層４０は天然素材３０上に設けられ、水性塗料を塗布後乾燥させることで形成され、透視可能状態を備える保護薄膜層であり、しかも天然素材３０の外形輪郭を完全に被覆すると共に空気を遮断し、更に該天然素材３０を接着層２０と塗料層４０との間に密封する。【選択図】図１
0003179609.tif 000002
【実用新案登録請求の範囲】
【請求項１】
基材と、接着層と、天然素材と、塗料層とを含み、
該基材は、予め面積を有し、かつ可撓性のある軟性素材とし、
該接着層は、該基材の一面上の所定部位に設置され、この所定部位に水性接着剤を塗布してから乾燥させることで形成され、粘着性と透明性を有する薄膜層であり、
該天然素材は、天然の動植物とし、該接着層上に貼り付けられ、
該塗料層は、該天然素材上に設けられ、水性塗料を塗布後乾燥させることで形成され、透視可能状態を備える保護薄膜層であり、しかも該天然素材の外形輪郭を完全に被覆すると共に空気を遮断し、更に該天然素材を該接着層と該塗料層との間に密封することを特徴とする柔軟性基材と天然素材の結合構造。
【請求項２】
該基材は、紡織布、紙材、皮革、混紡、綿布、麻布、複合材料のうちの一つの素材から選択されたものであることを特徴とする、請求項１に記載の柔軟性基材と天然素材の結合構造。
【請求項３】
該塗料層は、第１塗料層と第２塗料層とを含み、両者が互いに積層状態を呈することを特徴とする、請求項１または２に記載の柔軟性基材と天然素材の結合構造。
【請求項４】
該第１塗料層と該第２塗料層は、水性塗料を塗布してから乾燥させることで形成されることを特徴とする、請求項３に記載の柔軟性基材と天然素材の結合構造。
【請求項５】
該塗料層は、水性接着剤を塗布してから乾燥させることで形成されることを特徴とする、請求項１または２に記載の柔軟性基材と天然素材の結合構造。
【請求項６】
該塗料層は、予め色をつけたことを特徴とする、請求項１または２に記載の柔軟性基材と天然素材の結合構造。
【請求項７】
該塗料層は、予め紫外線（ＵＶ）を防止する成分を含むことを特徴とする、請求項１または２に記載の柔軟性基材と天然素材の結合構造。
【請求項８】
該塗料層は、予め柔らかい感触の塗料成分を含むことを特徴とする、請求項１または２に記載の柔軟性基材と天然素材の結合構造。
【請求項９】
該天然素材は、植物系の花、草、樹木、葉、野菜、果物のうちの一つから選択されたものであることを特徴とする、請求項１または２に記載の柔軟性基材と天然素材の結合構造。
【請求項１０】
該天然素材は、動物系の毛髪、鱗片、皮のうちの一つから選択されたものであることを特徴とする、請求項１または２に記載の柔軟性基材と天然素材の結合構造。
【請求項１１】
該天然素材は、乾燥後の植物系または動物系の素材であることを特徴とする、請求項１または２に記載の柔軟性基材と天然素材の結合構造。
【考案の詳細な説明】
【技術分野】
【０００１】
本考案は、図案と基材を結合させた結合構造に関し、特に柔軟性のある基材（以下、柔軟性基材と呼ぶ）と天然素材による図案を互いに貼り付けると共に、天然素材の模様や形状がはっきりと見え、かつまた保護する効果を有する柔軟性基材と天然素材の結合構造に関するものである。
【背景技術】
【０００２】
「押花」工芸は「押図」と同様にラミネート技術に属する。この内「押図」は予め用意した文字や図案を素材に印刷した後、直接基材上に貼着被覆する技術であり、「押花」は本物の草花を基材上に直接貼着被覆する技術である。花卉と図柄を比較するのと同様に、両者の差異は、本物の花の紋様は図案の作り物の花に比べて繊細な点にあり、その製法上には多くの制限がある。例えば、本物の花は製作する前にまず「乾燥処理」をしなければならない。製作後に本物の花が基材上で腐乱しないように先に乾燥の手順を行わなければならないなど、製作の過程で熱を加える必要があるが、その加熱の温度により本物の花が退色し、また、貼着被覆する基材の材質は硬度のある材質でなければならないなどの制限である。
【０００３】
また、一方では、本物の花の素材はもろく、特に乾燥処理をした後はあまり折り曲げることができないので、一般的には硬度のある基材上で製作し、更に透明なガラスやアクリル樹脂などの硬質の基材で本物の花の表面を覆って保護し、破損を防いで完全な姿を維持する。このため、本物の花で製作する場合の要求や制限条件は図案で製作する場合よりも多くなる。
【０００４】
また、「押花」技法を本物の草花を素材として製作する技術として分析すると、一般的には硬度のある基材上に貼着被覆することによって、乾燥させた草花の形を壊さずに維持することができるものであるが、よく見られる技法には次の（１）〜（３）種類ある。（１）花を額縁などに納めて装飾とした押花装飾品。（２）押花をボール紙と透明板の間に密封状態で挟み込み、長期間変色や退色しないように保存するもの。（３）花の表面を、熱により粘着力を生じることができる透明な樹脂の層で被覆するもの。
【０００５】
押花を基材の表面に貼り付けて間接的に熱を加え、透明な樹脂に生じた粘着力で押花を基材の上に接着し装飾とする。接着剤を塗布する必要がなく、押花を装飾として接着するのに簡単で手間がかからず、更に透明樹脂の粘着力により押花の基材からの剥離を押さえることができる。更に、その他の基材の上で間接的に加熱接着することで、別の基材に重ねて接着し装飾とすることができるので、透明樹脂により押花が保護され、押花の変色や破損を防ぎ、押花の使用寿命を延ばすことができる。
【先行技術文献】
【特許文献】
【０００６】
【特許文献１】なし
【考案の概要】
【考案が解決しようとする課題】
【０００７】
しかし、上記（１）と（２）の押花技術は、どちらも布類、紙類、皮革類などの柔軟性のある基材上では行うことができず、使用範囲が限られている。更に、上記（２）の技術では本物の花の紋様が浮き出る効果は表現できない。上記（３）の技術では熱を加えて樹脂の粘着力を引き出す方法のため、間接的な加熱とはいえ、樹脂を溶かすためにはかなりの高温と一定の加熱時間がなければならないので、この加熱により本物の花の色が影響を受けて退色してしまったり、花が破れてしまったりすることさえある。
【０００８】
そこで、本考案の主な目的は、下記（ａ）〜（ｄ）のような効果を得ることができる、柔軟性基材と天然素材の結合構造を提供することにある。
（ａ）布類、紙類、皮革類、ポリマー、天然素材、または複合素材類などの柔軟性基材を用いることができ、貼着被覆の貼り付け効果が高く、柔軟性基材がたわんだり折れ曲がったりしてもはがれることがないので、使用範囲が極めて広い。
（ｂ）高温を使用することなく完全に貼着被覆することができるので、天然素材が損なわれたり退色したりすることがなく、完全で本物そのままの天然素材の質感を維持することができる。
（ｃ）塗料層は乾燥させた後は天然素材を完全に密封して被覆した状態になり、立体的に浮き出る効果も得られる。同時に、空気、湿気、ホコリを遮断する効果もあり、天然素材の寿命を延ばすことができる。
（ｄ）使用する水性の接着層と塗料層の特性から、両者が一体となって天然素材を完全に被覆すると天然素材を柔らかくし、天然素材の貼着被覆性を更によくして、展延性を生みだし、折り曲げても破れたり壊れたりすることがなく、天然素材の本来の風合いを維持することができる。
【課題を解決するための手段】
【０００９】
上記課題を解決するために、本考案の柔軟性基材と天然素材の結合構造は、基材（１０）と、接着層（２０）と、天然素材（３０）と、塗料層（４０）とを含み、該基材（１０）は、予め面積を有し、かつ可撓性のある軟性素材とし、該接着層（２０）は、該基材の一面上の所定部位に設置され、この所定部位に水性接着剤を塗布してから乾燥させることで形成され、粘着性と透明性を有する薄膜層であり、該天然素材（３０）は、天然の動植物とし、該接着層上に貼り付けられ、該塗料層（４０）は、該天然素材上に設けられ、水性塗料を塗布後乾燥させることで形成され、透視可能状態を備える保護薄膜層であり、しかも該天然素材の外形輪郭を完全に被覆すると共に空気を遮断し、更に該天然素材を該接着層と該塗料層との間に密封することを最も主要な特徴とする。
【考案の効果】
【００１０】
本考案は、柔軟性基材（１０）上に天然素材（３０）を貼着被覆することで装飾とするものであるため、水性の各該接着層（２０）と塗料層（４０）の両者で該天然素材（３０）をコーティングし、該基材（１０）上に貼着被覆して、各該接着層（２０）及び塗料層（４０）の水性特性を利用して、加熱することなく、その中に該天然素材（３０）を貼付性及び密封性の高い方法で結合させ、かつ該基材（１０）が湾曲しても容易に剥離せず、更に本来の色を保って、浮き出す効果が明らかで、防水、防塵、及び天然素材の寿命を延ばすなどの効果があり、天然素材（３０）を貼り付けるための結合性及び貼付性の高い安定した構造を得ることができるという効果を奏する。
【図面の簡単な説明】
【００１１】
【図１】本考案の一つの比較的良い実施例の立体的外観図である。
【図２】本考案の一つの比較的良い実施例の立体的分解見取図である。
【図３】本考案の一つの比較的良い実施例の組み合わせ断面図である。
【図４】本考案の一つの比較的良い実施例の使用状態１を示す模式図である。
【図５】本考案の一つの比較的良い実施例の使用状態２を示す模式図である。
【図６】本考案の一つの比較的良い実施例の使用状態３を示す模式図である。
【図７】本考案のもう一つの実施例の組み合わせ断面図である。
【考案を実施するための形態】
【００１２】
以下、本考案の実施の形態を図面に基づいて説明する。
【００１３】
まず、図１乃至図３を参照していただきたい。本考案は、柔軟性のある基材上に天然素材を貼り付ける構造であって、主に一つの基材（１０）、及び該基材（１０）上の一つの接着層（２０）、一つの天然素材（３０）、及び一つの塗料層（４０）を含む。
【００１４】
該基材（１０）は、予め面積があり、かつ可撓性のある軟性素材として、紡織布、紙材、皮革、混紡、綿布、麻布、複合材料などの素材を応用することができ、屈曲性と展延性を備えたものとする。
【００１５】
該接着層（２０）は、粘着性を有し、かつ透視可能な薄膜層とし、該基材（１０）の一面上に予め部位を設定しておく。該接着層（２０）は各種の粘着性の異なる液体接着剤を用いることができ、塗布してから乾燥させることで形成するが、水性接着剤が最も適当である。
【００１６】
該天然素材（３０）は天然の動植物とし、貼り付け位置は該接着層（２０）上とする。該天然素材（３０）は植物系の花、草、樹木、葉、野菜、果物を応用することができ、また動物系の毛髪、鱗片、皮を応用することができ、または乾燥後の動植物系の素材を応用することもできる。図中では例として四つ葉のクローバーを使用する。
【００１７】
該塗料層（４０）は、透視可能状態を備え、該天然素材（３０）上に設け、更にこれによって該天然素材（３０）の外形輪郭を完全に被覆すると共に空気を遮断し、更に該天然素材（３０）を各該接着層（２０）と塗料層（４０）との間に密封する。該塗料層（４０）は水性塗料を塗布後乾燥させることで形成される保護薄膜層である。
【００１８】
本考案の貼着被覆構造は、各該接着層（２０）、天然素材（３０）、及び塗料層（４０）を重ねていく方法で該基材（１０）上の予め設定した部位に順番に貼着被覆することで完成させることができる。この内、該接着層（２０）は該基材（１０）上に塗布して風力乾燥させた後形成される粘着性のある薄膜層であり、更に該天然素材（３０）を該接着層（２０）上に載置し、最後に再び該塗料層（４０）を該天然素材（３０）の上方に塗布する方法で貼り付けて、風力乾燥させ粘着性のある薄膜層を形成し、貼着被覆が完成する。
【００１９】
本考案の該接着層（２０）は水性であり、なおかつ濃度が比較的低いという特性を有することから、貼着被覆時に容易に均一に塗布することができ、該基材（１０）の表面に凸凹を生じることがなく、該天然素材（３０）を該基材（１０）の上方に貼付する際の隙間の発生を減少させ、比較的良好な貼付性を備えるので、柔軟性のある基材がたわんだり折れ曲がったりしても脱落しない。貼着及び塗覆後、水性の各該接着層（２０）及び塗料層（４０）によって乾燥処理した該天然素材（３０）を軟化させることができ、同時にこれにより該天然素材（３０）との間の貼着被覆性が上がって展延性が生じ、折れ曲げても破れたり壊れたりすることがないために、柔軟性のある基材上で製作して、柔軟性のある基材の経常的なたわみや折れ曲がりにより草花素材が破損するという周知の問題を解決する。更に、本考案は柔軟性を備えた基材の上に使用することができるので、適用範囲は極めて広い。
【００２０】
本考案の該塗料層（４０）は水性でかつ濃度が比較的低いという特性を有することから、貼着被覆時に容易に均一に塗布することができ、該天然素材（３０）の表面に凹凸が発生した平らではないという状態になることがなく、同時に、該塗料層（４０）と該天然素材（３０）との間の密着度が高くなおかつ貼付性が強いために、粘着性の高い油性の接着剤と比較して、該天然素材（３０）の模様を一層浮き上がらせ、ごくわずかな模様も表現できる。更に、良好な浮彫の効果を呈し、該天然素材（３０）の本物らしさを維持することができる。
【００２１】
本考案の各該接着層（２０）及び塗料層（４０）が水性であるという特性から、該塗料層（４０）と該接着層（２０）が完全に結合したときには、ほぼ完全に隙間がなく、空気の入らない貼付性に到達することができ、このため該天然素材（３０）の一面は該接着層（２０）と結合させて該基材（１０）上に完全に固定され、もう一方の面は該塗料層（４０）により完全かつ密封性のある被覆を得ているために、空気、湿気、及びホコリを遮断する効果を備え、該天然素材（３０）の寿命を延ばすことができる。また、各該接着層（２０）及び塗料層（４０）の水性で貼付性が高いという特性から、硬度のある基材に該天然素材（３０）を貼着被覆する作業に適用することもできる。
【００２２】
本考案の応用として、各該接着層（２０）及び塗料層（４０）が水性で貼付性が高いという特徴から、水分のない該天然素材（３０）については乾燥処理を行う必要がなく、直接貼着被覆作業を行うことができるために、製作の工程を省略する効果があり、更に天然素材（３０）の本来の形や色を維持する効果がある。また、本考案の製作の過程では、各該接着層（２０）と塗料層（４０）が水性であるという特性から自然乾燥が可能で、乾燥時間も短く、加熱をしなくても完成させることができるので、加熱による天然素材の退色や亀裂という周知の問題を解決する。
【００２３】
図３から図５を参照していただきたい。本考案の該基材（１０）は紡織布、紙材、皮革、混紡、綿布、麻布、複合材料などにいずれも適用することができる。図は布類のバッグまたはTシャツ、または雨傘の製品を例としたものである。該天然素材（３０）の応用として植物系の花、草、樹木、葉、野菜、果物を使用することができ、また動物系の毛、鱗片、皮を使用することができる。図３では、まず柔軟性を有する該基材（１０）上に魚の図案を印刷し、更に本物の魚のウロコとヒレの該天然素材（３０）（太線部分）を組み合わせ、各該接着層（２０）及び塗布層（４０）によって貼着被覆することで図案上に部分的な装飾を形成し、模様全体を平面と立体の組み合わせとして、それぞれの視覚効果を展開したものである。
【００２４】
図６は果物を薄片に切って該天然素材（３０）とし、更に各該接着層（２０）及び塗布層（４０）により図案上に貼着被覆して作成した雨傘の装飾である。本考案の貼付性及び粘着性は極めて強いため、雨傘の経常的な折りたたみの動作でも該天然素材が脱落することはない。このため、本考案は組み合わせて活用できる素材がかなり多様かつ豊富で、考案者の自由な創意発想を満足させることができ、また応用範囲が非常に広く、経済的価値と実用性が高い。
【００２５】
本考案の該塗料層（４０）を予め色をつけた可視薄膜層とすることで、該天然素材（３０）に異なった視覚感覚を表現させることができる。例えば、褐色の顔料を添加して、該塗料層（４０）を褐色が呈する可視薄膜として該天然素材（３０）上に貼着被覆することで、該天然素材（３０）にレトロ調の視覚効果を与えることができる。
【００２６】
また、本考案の該塗料層（４０）にも予め紫外線（ＵＶ）を防止する成分を添加してから貼着被覆し乾燥させると、当該塗料層（４０）の薄膜層に更に紫外線（ＵＶ）防止の効果を持たせることができ、該天然素材（３０）が退色する状況をより減少させることができ、その鮮やかな色を長く維持することができる。
【００２７】
また、本考案の該塗料層（４０）にも予め柔らかい感触の塗料成分を添加しておくことで、該塗料層（４０）を該天然素材（３０）の外部に貼着被覆し風力乾燥させて、柔らかい触感の効果を持たせることができ、該天然素材（３０）の表面の質感を増すことができる。
【００２８】
図７を参照していただきたい。これは本考案のもう一つの実施例である。この内、該塗料層（４０）は第１塗料層（４１）一層と第２塗料層（４２）一層を有し、両者は互いに層状を呈している。各該第１、第２塗料層（４１）（４２）はいずれも水性塗料を塗布後乾燥させて形成したものである。該第２塗料層（４２）には柔らかい感触の塗料成分を添加した薄膜層とすることができ、また、更に紫外線（ＵＶ）防止成分または顔料を添加することもできる。本実施例のその他の貼着被覆構造及び状態、及び達成が予測される効果については、いずれも前述の良い実施例と完全に同様である。
【００２９】
上記を総合すると、本考案の示す「柔軟性基材と天然素材の結合構造は、柔軟性のある基材上に天然素材を貼着被覆することで装飾とするために適用する一つの構造を提供するものであり、水性の各該接着層及び塗料層の両者で該天然素材をコーティングし、柔軟性のある該基材上に貼着被覆して、各該接着層及び塗料層の水性の特性を利用して、加熱することなく、その中に該天然素材を貼付性及び密封性の高い方法で結合させ、なおかつ該基材が湾曲しても容易に剥離せず、更に本来の色を保って、浮き出す効果が明らかで、防水、防塵、及び天然素材の寿命を延ばすなどの効果があり、天然素材を貼り付けるための結合性及び貼付性の高い安定した構造を獲得し、全体として産業上の実用性及びコスト効果を確実に備えるものである。
【００３０】
本考案の最良の実施の形態について説明したが、当業者には明らかなように、本考案の精神を逸脱しない範囲で実施の形態を変形することが可能であり、そのような実施の形態は本考案の範囲に属するものである。
【符号の説明】
【００３１】
１０：基材
２０：接着層
３０：天然素材
４０：塗料層
４１：第１塗料層
４２：第２塗料層
【図１】
0003179609.tif 000003
【図２】
0003179609.tif 000004
【図３】
0003179609.tif 000005
【図４】
0003179609.tif 000006
【図５】
0003179609.tif 000007
【図６】
0003179609.tif 000008
【図７】
0003179609.tif 000009